【手続補正書】
【提出日】平成22年4月19日(2010.4.19)
【手続補正１】
【補正対象書類名】特許請求の範囲
【補正対象項目名】全文
【補正方法】変更
【補正の内容】
【特許請求の範囲】
【請求項１】
複数の記録素子が配列された記録ヘッドを各々内蔵した複数の記録装置と、情報処理装置とが通信インタフェースを介して相互に接続され、記録データベースに格納された記録データを前記複数の記録装置により同一の記録媒体に記録する記録システムにおいて、
前記複数の記録装置の各々は、
記録の際に発生する記録エラーを検知する手段と、
この検知した記録エラーを前記情報処理装置へ通知する手段と、
前記情報処理装置からの記録停止命令を受けたとき、その時点での正常に記録が行われた最後のページまたは、記録中のページの記録ページ番号を前記情報処理装置へ送信する手段を備え、
前記情報処理装置は、
任意の記録装置から記録エラーの通知を受けたとき、前記複数の記録装置に対して前記記録停止命令を発行するとともに、その時点での前記最後のページまたは、記録中のページの記録ページ番号を前記複数の記録装置から取得する手段と、
前記複数の記録装置から取得された複数の記録ページ番号からすべての記録装置による記録媒体への記録が正常に行われた最後のページの記録ページ番号を決定する手段と、
前記決定する手段により決定された記録ページ番号のページの記録データを表示データに変換し、表示装置に表示する手段を備えた
ことを特徴とする記録システム。
【請求項２】
前記複数の記録装置の記録ヘッドは、それぞれ、記録媒体の全幅を分割した一部の幅部分の記録を担当する請求項１記載の記録システム。
【請求項３】
前記決定する手段は、前記すべての記録装置による記録媒体への記録が正常に行われた最後のページの記録ページ番号として、前記取得された複数の記録ページ番号がすべて同じであれば、その記録ページ番号を選択し、異なる場合には最も若い記録ページ番号を選択する請求項１または２記載の記録システム。
【請求項４】
前記記録データベースは、前記情報処理装置内に設けられた請求項１〜３のいずれかに記載の記録システム。
【請求項５】
前記記録データベースは、前記複数の記録装置内に分散して設けられた請求項１〜３のいずれかに記載の記録システム。
【請求項６】
前記記録装置は、前記記録エラーの情報として、前記記録エラー検出手段により検出されたエラーの種類の情報を送信することを特徴とする請求項１に記載の記録システム。
【請求項７】
前記情報処理装置は、記録データ生成用の第１の情報処理装置と、前記複数の記録装置の個々に対応した複数の記録データ送信用の第２の情報処理装置とにより構成され、第１の情報処理装置は、複数の第２の情報処理装置に対して同じ記録データを送信し、第２の情報処理装置は自己に対応する記録装置に対して、その記録を担当する部分の記録データを抽出して当該記録装置へ送信することを特徴とする請求項１〜６のいずれかに記載の記録システム。
【請求項８】
複数の記録素子が配列された記録ヘッドを各々内蔵した複数の記録装置と、通信インタフェースを介して接続され、記録データベースに格納された記録データを前記複数の記録装置により同一の記録媒体に記録させる情報処理装置において実行される制御プログラムであって、
任意の記録装置から記録エラーの通知を受けたとき、前記複数の記録装置に対して記録停止命令を発行するステップと、
前記記録停止命令を受信した時点での正常に記録が行われた最後のページまたは、記録中のページの記録ページ番号を前記複数の記録装置から取得するステップと、
取得された複数の記録ページ番号からすべての記録装置による記録媒体への記録が正常に行われた最後のページの記録ページ番号を決定するステップと、
前記複数の記録装置から取得した記録ページ番号の記録データを前記記録データベースから検索するステップと、
前記検索により得られた当該記録ページ番号のページの記録データを表示データに変換し、表示装置に表示するステップと
をコンピュータに実行させることを特徴とする制御プログラム。
【請求項９】
複数の記録素子が配列された記録ヘッドを各々内蔵し、情報処理装置と通信インタフェースを介して接続され、記録データベースに格納された記録データを他の記録装置と協働して同一の記録媒体に記録する記録装置において、
記録の際に発生する記録エラーを検知する手段と、
この検知した記録エラーを前記情報処理装置へ通知する手段と、
前記情報処理装置からの記録停止命令を受けたとき、その時点での正常に記録が行われた最後のページまたは、記録中のページの記録ページ番号を前記情報処理装置へ送信する手段と
を備えたことを特徴とする記録装置。
【請求項１０】
前記複数の記録装置の記録ヘッドは、それぞれ、記録媒体の全幅を分割した一部の幅部分の記録を担当する請求項９記載の記録装置。
【手続補正２】
【補正対象書類名】明細書
【補正対象項目名】００２９
【補正方法】変更
【補正の内容】
【００２９】
本実施の形態では、記録装置２１０は、記録媒体１３０上、搬送方向下流に向かって右側の分割記録領域に画像を記録し、記録装置２２０は、記録媒体１３０における左側の分割記録領域に画像を記録する。
【手続補正３】
【補正対象書類名】明細書
【補正対象項目名】００３５
【補正方法】変更
【補正の内容】
【００３５】
記憶装置１０５に格納された各種プログラムには、図３に示すように、主として、複数の印刷ジョブを受け付けて対応する記録データを管理する記録データ管理プログラム１５１、各記録装置に分配する記録データを生成する記録データ生成プログラム１５３、および記録データ送信ＰＣ１１０、１２０との間で通信を行うためのＰＣ通信プログラム１５５、記録データの管理画面およびプレビュー画面等の表示処理を行うデータビューワプログラム１５７、等を含んでいる。記憶装置１０５内には、本実施の形態における記録対象となる記録データを記憶したデータベース３５０も格納される。
【手続補正４】
【補正対象書類名】明細書
【補正対象項目名】００３６
【補正方法】変更
【補正の内容】
【００３６】
記録データ送信ＰＣ１１０、１２０の構成は同じであり、ＰＣ１１０についてのみその構成を説明する。記録データ送信ＰＣ１１０は、記録データ送信ＰＣ１１０の各種制御を行う制御部を構成するＣＰＵ１１２と、このＣＰＵ１１２用の作業領域および一時記憶領域を提供するメモリであるＲＡＭ（Random Access Memory）１１３と、ＣＰＵ１１２が初期的に実行するブートプログラム等を格納する不揮発性メモリであるＲＯＭ（Read Only Memory）１１４と、記憶装置１１５、標準入出力部１１６と、通信インタフェース１１７，１１８とを有し、これらがシステムバス１１１を介して相互に接続されている。大容量の外部記憶装置等の記憶装置１１５は、インタフェースを介してシステムバス１１１に接続され、オペレーティングシステムや各種プログラムを格納している。また、システムバス１１１は通信インタフェース１１７を介して記録装置２１０と接続され、通信インタフェース１１８を介して記録データ生成ＰＣ１００と接続される。
【手続補正５】
【補正対象書類名】明細書
【補正対象項目名】００３７
【補正方法】変更
【補正の内容】
【００３７】
記録データ送信ＰＣ１１０の記憶装置１１５に格納された各種プログラムには、図３に示すように、記録データ生成ＰＣ１００との間で通信を行うＰＣ通信プログラム１１６と、記録データ生成ＰＣ１００から受信した記録データを対応する記録装置２１０へ転送するとともに、そのステータスの管理を行う記録データ転送プログラム１６３、等を含む。
【手続補正６】
【補正対象書類名】明細書
【補正対象項目名】００３８
【補正方法】変更
【補正の内容】
【００３８】
記録装置２１０、２２０の構成は同じであり、記録装置２１０についてのみその構成を説明する。記録装置２１０は、ＣＰＵ２０１が、ＲＯＭ２０２に記憶された印刷制御プログラム１７１（図３）を実行することにより制御され、記録データを記憶するＲＡＭ２０３、記録データ送信ＰＣ１１０との間で通信を行うための通信インタフェース２０７、記録ヘッド２０６を制御する記録ヘッド制御部２０４、各記録ヘッド内のメモリから読み込み、書き込みを行うメモリ制御(Ｒ／Ｗ)回路２０５から構成されている。各記録ヘッド２０６内には、書き換え可能な不揮発性メモリを搭載している。この不揮発性メモリは、本実施の形態ではＥＥＰＲＯＭを使用している。
【手続補正７】
【補正対象書類名】明細書
【補正対象項目名】００５７
【補正方法】変更
【補正の内容】
【００５７】
記録装置２１０、２２０は記録データ送信ＰＣ１１０、１２０から記録停止命令を受信すると、記録動作を停止し（Ｓ４０６、Ｓ４２６）、現在の（停止時の）記録ページ番号を記録データ送信ＰＣ１１０，１２０に送信する（Ｓ４０７、Ｓ４２７）。現在の（停止時の）記録ページ番号とは、本例では、その記録装置で正常に記録が行われた最後のページの番号である。
【手続補正８】
【補正対象書類名】明細書
【補正対象項目名】００６０
【補正方法】変更
【補正の内容】
【００６０】
記録データ生成ＰＣ１００は、このようにして得られたページ番号のページの記録データをデータベースから検索する。これは、当該ページ番号に基づいて、ユーザの指示に応じて行ってもよいし、自動的に行ってもよい。記録データ生成ＰＣ１００は、検索により得られた記録データを表示データに変換して、表示装置上に表示する（Ｓ４４５）。ここで、表示データとは、例えばＢＭＰ、ＪＰＥＧ、ＧＩＦ等の形式の画像データが挙げられる。 本実施の形態では、記録データの生成は、csv等のデータ形式のデータから作成することを想定しており、表示データは存在しない。また、表示データを別途保存しておく構成とすると、件数が非常に多いため記憶容量が膨大になってしまう。このため本実施の形態では表示データは保存しない。
【手続補正９】
【補正対象書類名】明細書
【補正対象項目名】００６２
【補正方法】変更
【補正の内容】
【００６２】
記録データ生成ＰＣ１００は、記録エラーの情報として、検出されたエラーの種類の情報を受信し、これをユーザに表示して示すようにしてもよい。
【手続補正１０】
【補正対象書類名】図面
【補正対象項目名】図７
【補正方法】変更
【補正の内容】
【図７】
2008269228.tif 000001